(57)【要約】【課題】反発性能の高いエリアをトゥ側及びヒール側に拡大することができる、ゴルフクラブヘッドを提供する。【解決手段】本発明に係るゴルフクラブヘッドは、フェース部と、クラウン部と、ソール部と、を備え、前記ソール部は、トゥ側に配置されるトゥ側凹部と、ヒール側に配置されるヒール側凹部と、前記トゥ側凹部とヒール側凹部との間に配置される中央凹部と、を備え、前記トゥ側凹部及びヒール側凹部には、トゥ−ヒール方向に線状に延びる、少なくとも１つの易変形部が形成されている。【選択図】図６
2018175515.tif 000002
【特許請求の範囲】
【請求項１】
フェース部と、
クラウン部と、
ソール部と、
を備え、
前記ソール部は、
トゥ側に配置されるトゥ側凹部と、
ヒール側に配置されるヒール側凹部と、
前記トゥ側凹部とヒール側凹部との間に配置される中央凹部と、
を備え、
前記トゥ側凹部及びヒール側凹部には、トゥ−ヒール方向に線状に延びる、少なくとも１つの易変形部が形成されている、ゴルフクラブヘッド。
【請求項２】
前記トゥ側凹部及びヒール側凹部には、２以上の前記易変形部が形成され、
前記中央凹部には、トゥ−ヒール方向に線状に延びる、少なくとも１つの易変形部が形成されており、
前記トゥ側凹部及びヒール側凹部に形成された前記易変形部の数が、前記中央凹部に形成された前記易変形部の数よりも多い、請求項１に記載のゴルフクラブヘッド。
【請求項３】
前記トゥ側凹部及びヒール側凹部のフェース−バック方向の長さが、前記中央凹部のフェース−バック方向の長さよりも長い、請求項１または２に記載のゴルフクラブヘッド。
【請求項４】
前記トゥ側凹部は、トゥ側にいくにしたがって、フェース−バック方向の長さが長くなるように形成されており、
前記ヒール側凹部は、ヒール側にいくにしたがって、フェース−バック方向の長さが長くなるように形成されている、請求項１から３のいずれかに記載のゴルフクラブヘッド。
【請求項５】
前記トゥ側凹部及びヒール側凹部は、前記中央凹部よりもフェース側に配置されている、請求項１から４のいずれかに記載のゴルフクラブヘッド。
【請求項６】
前記トゥ側凹部に配置されている前記易変形部は、トゥ側にいくにしたがって、バック側に延びるように形成されており、
前記ヒール側凹部に配置されている前記易変形部は、ヒール側にいくにしたがって、バック側に延びるように形成されている、請求項１から５のいずれかに記載のゴルフクラブヘッド。
【請求項７】
前記トゥ側凹部の深さは、トゥ側にいくにしたがって浅くなっており、
前記ヒール側凹部の深さは、ヒール側にいくにしたがって浅くなっている、請求項１から６のいずれかに記載のゴルフクラブヘッド。
【請求項８】
前記トゥ側凹部及びヒール側凹部の肉厚は、前記中央凹部の肉厚よりも小さい、請求項１から７のいずれかに記載のゴルフクラブヘッド。
【請求項９】
前記トゥ側凹部、ヒール側凹部、及び前記中央凹部の前記易変形部は、段差によって形成されている、請求項１から８のいずれかに記載のゴルフクラブヘッド。
【発明の詳細な説明】
【技術分野】
【０００１】
本発明は、ゴルフクラブヘッドに関する。
【背景技術】
【０００２】
ウッド型のゴルフクラブのヘッドに関しては、従来から、飛距離を伸ばすための多くの提案がなされている。例えば、特許文献１には、ソール部に、トゥ−ヒール方向に延びる複数の溝を形成しており、これによってボールの打撃時の変形を促し、反発性能を向上している。
【先行技術文献】
【特許文献】
【０００３】
【特許文献１】米国特許出願公開第２０１６／０３２５１５５号明細書
【発明の概要】
【発明が解決しようとする課題】
【０００４】
ところで、上記ゴルフクラブの溝は、トゥ−ヒール方向の中央付近がフェース部に近接し、トゥ側及びヒール側は、フェース部から離れるように形成されている。そのため、トゥ−ヒール方向の中央付近の反発性能は高くなるものの、トゥ側及びヒール側の反発性能の向上には改良の余地があった。本発明は、上記問題を解決するためになされたものであり、反発性能の高いエリアをトゥ側及びヒール側に拡大することができる、ゴルフクラブヘッドを提供することを目的とする。
【課題を解決するための手段】
【０００５】
本発明に係るゴルフクラブヘッドは、フェース部と、クラウン部と、ソール部と、を備え、前記ソール部は、トゥ側に配置されるトゥ側凹部と、ヒール側に配置されるヒール側凹部と、前記トゥ側凹部とヒール側凹部との間に配置される中央凹部と、を備え、前記トゥ側凹部及びヒール側凹部には、トゥ−ヒール方向に線状に延びる、少なくとも１つの易変形部が形成されている。
【０００６】
上記ゴルフクラブヘッドにおいては、前記トゥ側凹部及びヒール側凹部には、２以上の前記易変形部を形成することができ、前記中央凹部には、トゥ−ヒール方向に線状に延びる、少なくとも１つの易変形部を形成擦ることができ、前記トゥ側凹部及びヒール側凹部に形成された前記易変形部の数を、前記中央凹部に形成された前記易変形部の数よりも多くすることができる。
【０００７】
上記各ゴルフクラブヘッドにおいては、前記トゥ側凹部及びヒール側凹部のフェース−バック方向の長さを、前記中央凹部のフェース−バック方向の長さよりも長くすることができる。
【０００８】
上記各ゴルフクラブヘッドにおいて、前記トゥ側凹部は、トゥ側にいくにしたがって、フェース−バック方向の長さが長くなるように形成することができ、前記ヒール側凹部は、ヒール側にいくにしたがって、フェース−バック方向の長さが長くなるように形成することができる。
【０００９】
上記各ゴルフクラブヘッドにおいて、前記トゥ側凹部及びヒール側凹部は、前記中央凹部よりもフェース側に配置することができる。
【００１０】
上記各ゴルフクラブヘッドにおいて、前記トゥ側凹部に配置されている前記易変形部は、トゥ側にいくにしたがって、バック側に延びるように形成することができ、前記ヒール側凹部に配置されている前記易変形部は、ヒール側にいくにしたがって、バック側に延びるように形成することができる。
【００１１】
上記各ゴルフクラブヘッドにおいて、前記トゥ側凹部の深さは、トゥ側にいくにしたがって浅く形成することができ、前記ヒール側凹部の深さは、ヒール側にいくにしたがって浅く形成することができる。
【００１２】
上記各ゴルフクラブヘッドにおいて、前記トゥ側凹部及びヒール側凹部の肉厚は、前記中央凹部の肉厚よりも小さくすることができる。
【００１３】
上記各ゴルフクラブヘッドにおいて、前記トゥ側凹部、ヒール側凹部、及び前記中央凹部の前記易変形部は、段差によって形成することができる。
【発明の効果】
【００１４】
本発明に係るゴルフクラブヘッドによれば、トゥ−ヒール方向の中央付近の反発性能を抑制しつつ、トゥ側及びヒール側の反発性能を向上することができる。
【図面の簡単な説明】
【００１５】
【図１】本実施形態に係るゴルフクラブヘッドの基準状態の斜視図である。
【図２】図１の平面図である。
【図３】図２のＡ−Ａ線断面図である。
【図４Ａ】フェース部の境界を説明する図である。
【図４Ｂ】フェース部の境界を説明する図である。
【図５】ソール部をバック側から見た斜視図である。
【図６】ソール部の平面図である。
【図７】トゥ側から見たヘッドの側面図である。
【図８】ヒール側から見たヘッドの側面図である。
【図９】図６のＢ−Ｂ線断面図である。
【図１０】図６のＣ−Ｃ線断面図である。
【図１１】中央凹部の拡大断面図である。
【図１２】凹部の断面の他の例を示す断面図である。
【発明を実施するための形態】
【００１６】
以下、本発明に係るゴルフクラブヘッドの一実施形態について、図面を参照しつつ説明する。
【００１７】
＜１．ゴルフクラブヘッドの概要＞
図１は、このゴルフクラブヘッドの斜視図、図２は、ヘッドの基準状態での平面図、図３は図２のＡ−Ａ線断面図である。図１〜図３に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたウッド型のゴルフクラブヘッドである。具体的には、ユーティリティ、フェアウェイウッド、ドライバーといったゴルフクラブヘッドに適用することができる。
【００１８】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１９】
ここで、ゴルフクラブヘッド１００を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００２０】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００２１】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２２】
また、ヘッド１００は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２３】
また、このゴルフクラブヘッド１００の体積は、例えば、９０ｃｍ3以上、４６０ｃｍ3以下が望ましい。
【００２４】
＜２．ゴルフクラブヘッドの組立構造＞
本実施形態に係るゴルフクラブヘッド１００は、図３に示すように、クラウン部２及びソール部３を有するヘッド本体１０１と、フェース部１及びその周縁から延びる周縁部１５を有するカップ状に形成されたフェース用部材１０２と、を組み立てることで構成される。このヘッド本体１０１は、クラウン部２及びソール部３で囲まれた開口１８を有し、この開口１８を塞ぐようにフェース用部材１０２が取り付けられる。すなわち、フェース用部材１０２の周縁部１５の端面が、ヘッド本体１０１の開口１８の端面と突き合わされ、これらが、溶接によって接合される（いわゆるカップフェース構造）。そして、フェース用部材１０２は、ヘッド本体１０１の開口１８の縁部に取付けられることで、ヘッド本体１０１と一体化され、これによって、フェース用部材１０２の周縁部１５は、ヘッド１００のクラウン部２及びソール部３の一部として機能する。
【００２５】
したがって、フェース用部材１０２の周縁部１５がヘッド本体１０１に取付けられることで一体的に形成される面が、ヘッド１００のクラウン部２及びソール部３を構成する。そのため、厳密には、ヘッド本体１０１のクラウン部２及びソール部３は、ヘッド１００のクラウン部２及びソール部３の一部ではあるが、本明細書では、これらを区別することなく、ヘッド本体１０１の各部も、単にクラウン部２、ソール部３と称することがある。
【００２６】
＜３．クラウン部の構造＞
続いて、クラウン部２について説明する。図１〜図３に示すように、クラウン部２は、フェース部側に配置される隆起部２１と、隆起部２１よりもバック側に配置される基部２２とで、構成されている。隆起部２１は、主として、フェース部１に沿ってトゥ−ヒール方向に延びる帯状の領域であり、トゥ側及びヒール側の両端部は、クラウン部２の周縁に沿ってややバック側へ延びており、全体として平面視Ｕ字状に形成されている。一方、基部２２は、隆起部２１よりも低い位置でクラウン部２の大半を占める領域であり、その周縁はソール部３と接している。そして、隆起部２１と基部２２との境界には段差を構成する傾斜面２３が形成されている。これにより、隆起部２１と基部２２との段差の分だけ、フェース部１の上下方向の高さが高くなっている。
【００２７】
この傾斜面２３は、フェース部１側にいくにしたがって、上方に延びるように構成されている。これにより、ゴルフクラブヘッド１００を基準状態で設置したとき、上方から傾斜面２３を視認することができる。すなわち、アドレスに入ったゴルファーから視認可能となっている。そして、傾斜面２３は、隆起部２１に沿って形成されているため、隆起部２１と同様に、平面視Ｕ字状に形成されている。
【００２８】
図３に示すように、隆起部２１のフェース−バック方向の幅Ｄは、例えば、平面視において、５〜２５ｍｍとすることが好ましく、７〜２０ｍｍとすることがさらに好ましい。
【００２９】
また、図３に示すように、傾斜面２３の平面視におけるフェース−バック方向の幅Ｗは、例えば、３〜９ｍｍとすることが好ましく、３〜７ｍｍであることがさらに好ましい。さらに、傾斜面２３の高さＨは、例えば、０．５〜８ｍｍとすることが好ましく、０．５〜６ｍｍとすることがさらに好ましく、０．５〜５ｍｍとすることが特に好ましい。
【００３０】
＜４．ソール部の構造＞
続いて、図５〜図１０も参照しつつ、ソール部３について説明する。図５はソール部をバック側から見たヘッドの斜視図、図６はソール部側から見たヘッドの平面図、図７はトゥ側から見たヘッドの側面図、図８はヒール側から見たヘッドの側面図、図９は図６のＢ−Ｂ線断面図、図１０は図６のＣ−Ｃ線断面図である。図５〜図１０に示すように、ソール部３には、複数の凹凸が形成されているが、特に、本実施形態では、３つの凹部が形成されている。また、各凹部には、トゥ−ヒール方向に延びる易変形部が形成されている。以下、これらを詳細に説明する。
【００３１】
＜４−１．凹部＞
まず、凹部について説明する。図６〜図１０に示すように、ソール部３には、トゥ−ヒール方向の中央付近に配置される中央凹部３１と、この中央凹部３１に隣接しトゥ側に配置されるトゥ側凹部３２と、中央凹部３１に隣接しヒール側に配置されるヒール側凹部３３と、が形成されている。中央凹部３１は、フェース部１に近接し、トゥ−ヒール方向が長手方向となる矩形状に形成されている。中央凹部３１のフェース側の端縁と、フェース部１との距離は、例えば、１３．０〜２８．０ｍｍとすることができる。また、中央凹部３１を形成する壁面の肉厚は、０．８〜３．０ｍｍとすることができる。
【００３２】
トゥ側凹部３２は、中央凹部３１のトゥ側の端部に連結され、トゥ側に向かって概ね三角形状に形成されている。より詳細に説明すると、トゥ側凹部３２のヒール側の端縁３２ａは、中央凹部３１との連結部分からバック側に延び、トゥ側にいくにしたがってバック側に延びるように傾斜している。また、トゥ側凹部３２のフェース側の端縁３２ｂは、フェース部１とソール部３との境界に沿うようにトゥ−ヒール方向に延びている。但し、このフェース側の端縁３２ｂは、中央凹部３１のフェース側の端縁よりもややフェース側に位置している。そして、トゥ側凹部３２のトゥ側の端縁３２ｃは、ソール部３とクラウン部２との境界に沿って延びている。したがって、トゥ側凹部３１は、全体として、トゥ側にいくにしたがってフェース−バック方向の長さが概ね長くなるような形状に形成されている。
【００３３】
また、トゥ側凹部３２は、トゥ側にいくにしたがって、浅くなるように形成されている。すなわち、トゥ側凹部３２において、中央凹部３１と連結される端縁３２ａの深さは、例えば、０．５〜３．０ｍｍであるが、トゥ側にいくにしたがって浅くなり、トゥ側の端縁３２ｃでは、例えば、０．１〜１．５ｍｍとすることができる。また、トゥ側凹部３２を形成する壁面の肉厚は、中央凹部３１よりも薄く、例えば、０．４〜１．５ｍｍとすることができる。
【００３４】
ヒール側凹部３３は、トゥ側凹部３２と概ね対称に形成されている。すなわち、ヒール側凹部３３は、中央凹部３１のヒール側の端部に連結され、ヒール側に向かって概ね三角形状に形成されている。より詳細に説明すると、ヒール側凹部３３のトゥ側の端縁３３ａは、中央凹部３１との連結部分からバック側に延び、ヒール側にいくにしたがってバック側に延びるように傾斜している。また、ヒール側凹部３３のフェース側の端縁３３ｂは、フェース部１とソール部３との境界に沿うようにトゥ−ヒール方向に延びている。但し、このフェース側の端縁３３ｂは、トゥ側凹部３２と同様の位置に配置されている。すなわち、中央凹部３１のフェース側の端縁よりもややフェース側に位置している。そして、ヒール側凹部３３のヒール側の端縁３３ｃは、ソール部３とクラウン部２との境界に沿って延びている。したがって、ヒール側凹部３３は、全体として、ヒール側にいくにしたがってフェース−バック方向の長さが概ね長くなるような形状に形成されている。
【００３５】
また、ヒール側凹部３３は、ヒール側にいくにしたがって、浅くなるように形成されている。すなわち、中央凹部３１と連結される端縁の深さは、例えば、０．５〜３．０ｍｍであるが、ヒール側にいくにしたがって浅くなり、ヒール側の端縁では、例えば、０．１〜１．５ｍｍとすることができる。また、ヒール側凹部３３を形成する壁面の肉厚は、中央凹部３１よりも薄く、例えば、０．４〜１．５ｍｍとすることができる。
【００３６】
＜４−２．易変形部＞
次に、易変形部について、図３、図６〜図１１を参照しつつ説明する。図１１は、易変形部の概略構成を示拡大断面図である。図３及び図６に示すように、中央凹部３１には、トゥ−ヒール方向に延びる１つの易変形部３１１が形成されている。この易変形部３１１は、中央凹部３１のトゥ−ヒール方向全体に亘って延びており、段部により形成されている。すなわち、図１１に示すように、段部３１４を構成する面が概ね上下方向に延びており、段部３１４を挟んでフェース側の面３１２が段部３１４の下端に連結され、バック側の面３１３が段部３１４の上端に連結されている。但し、段部の頂部３１４ａ（最も下方に突出している部分）は、ソール部３の表面よりも内側（上側）に位置している。
【００３７】
続いて、トゥ側凹部３２の易変形部３２０について説明する。図６、図７、及び図９に示すように、トゥ側凹部３２には、フェース−バック方向に並ぶ３本の易変形部３２１〜３２３が形成されている。以下、これら３本の易変形部を、フェース側から第１易変形部３２１，第２易変形部３２２、及び第３易変形部３２３と称することとする。また、これら易変形部３２１〜３２３も、図１１に示す易変形部３１１と同様に、段部によって形成されている。したがって、これら易変形部３２１〜３２３では、概ね上下方向に延びる段部を挟んでフェース側の面が段部の下端に連結され、バック側の面が段部の上端に連結されている。但し、段部の頂部（最も下方に突出している部分）は、ソール部３の表面よりも内側（上側）に位置している。
【００３８】
第１易変形部３２１は、最もフェース側に配置され、トゥ側にいくにしたがってバック側に延びるように形成されている。第２易変形部３２２及び第３易変形部３２３も同様に形成されている。そして、隣接する易変形部、例えば、第１易変形部３２１と第２易変形部３２２との間の距離は、トゥ側にいくにしたがって、フェース−バック方向の間隔が広くなるように形成されている。
【００３９】
次に、ヒール側凹部３３の易変形部３３０について説明する。図６、図８及び図１０に示すように、ヒール側凹部３３にも、フェース−バック方向に並ぶ３本の易変形部３３１〜３３３が形成されている。以下、これら３本の易変形部を、フェース側から第１易変形部３３１，第２易変形部３３２、及び第３易変形部３３３と称することとする。また、これら易変形部３３１〜３３３も段部によって形成されている。したがって、これら易変形部３３１〜３３３では、概ね上下方向に延びる段部を挟んでフェース側の面が段部の下端に連結され、バック側の面が段部の上端に連結されている。但し、段部の頂部（最も下方に突出している部分）は、ソール部３の表面よりも内側（上側）に位置している。
【００４０】
第１易変形部３３１は、最もフェース側に配置され、ヒール側にいくにしたがってバック側に延びるように形成されている。第２易変形部３３２及び第３易変形部３３３も同様に形成されている。そして、隣接する易変形部、例えば、第１易変形部３３１と第２易変形部３３２との間の距離は、ヒール側にいくにしたがって、フェース−バック方向の間隔が広くなるように形成されている。
【００４１】
＜５．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、このとき用いるフェース用部材１０２の加工前の平板は、圧延方向が、フェース部１のトゥ側の上部からヒール側の下部に向かう方向とほぼ一致するように加工される。
【００４２】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００４３】
＜６．特徴＞
以上の実施形態によれば、次の効果を得ることができる。
【００４４】
(1) フェース部１におけるトゥ−ヒール方向の中央付近は、上下方向に長く、またスイートスポットが存在するため、トゥ側及びヒール側に比べ、元々反発性能が高い。そこで、本実施形態においては、以下の通り、フェース部１におけるトゥ側およびヒール側の反発性能を向上させ、反発性能の高いエリアをトゥ側及びヒール側に拡大している。すなわち、本実施形態に係るゴルフクラブヘッドでは、ソール部３において、フェース−バック方向の中央付近、トゥ側、及びヒール側に、凹部３１〜３３がそれぞれ形成されているため、フェース部１でボールが打撃されたとき、ソール部３の変形を大きくすることができる。したがって、ヘッドの反発性能を高くすることができる。また、中央凹部３１、トゥ側凹部３２、及びヒール側凹部３３には、線状に延びる、易変形部３１１、３２０（３２１〜３２３）、３３０（３３１〜３３３）がそれぞれ形成されている。そして、これら易変形部３１１、３２０、３３０は、段部によって形成されているため、フェース部１にボールが当たったとき、易変形部３１１、３２０、３３０が屈曲することで（例えば、図１１の点線のように変形）、容易に変形するため、反発性能を高めることができる。但し、トゥ側凹部３２及びヒール側凹部３３に形成されている易変形部３２０，３３０の数は、中央凹部３１の易変形部３１１の数よりも多くなっている。そのため、フェース部１におけるトゥ側およびヒール側の反発性能を向上させ、反発性能の高いエリアをトゥ側及びヒール側へ拡大することができる。
【００４５】
特に、凹部３１〜３３は、ヘッドの内側（上方）に窪んでいるため、これによってヘッドの重心が高くなるが、易変形部３１１，３２０，３３０を形成することで、凹部３１〜３３を深くすることなく反発性能を高めることができるという利点がある。よって、ヘッドの重心が高くなるのを抑制しつつ、反発性能を高めることができる。
【００４６】
(2) トゥ側凹部３２及びヒール側凹部３３は、中央凹部３１よりフェース部１に近接しているため、ソール部３は、中央付近に比べ、トゥ側及びヒール側の反発性能が向上する。
【００４７】
(3) 易変形部３１１，３２０，３３０は、ソール部３を構成する面が折れ曲がって形成されているため、他の部分より重量が大きくなっている。そして、トゥ側凹部３２及びヒール側凹部３３に形成されている易変形部３２０，３３０は、バック側にいくにしたがって、中央凹部３１から離れるように形成されている。そのため、重量の大きい部分がバック側に位置するようになっている。その結果、ヘッドの重心をバック側に配置することができる。これにより、ゴルフクラブをスイングしたとき、特にボールの打撃のインパクト時に、ヘッドのバック側がフェース側に対して下方に回転しやすくなる。これにより、フェース部１がより上を向きやすくなるため、ボールをより高く飛ばすことができる。
【００４８】
(4) ソール部３の周縁は上方に湾曲し、クラウン部２の周縁と連結している。そのため、トゥ側凹部３２はトゥ側にいくにしたがって上方に配置されるように形成され、ヒール側凹部３３もヒール側にいくにしたがって上方に配置されるように形成されている。しかしながら、トゥ側凹部３２及びヒール側凹部３３は、ともに周縁にいくにしたがって浅く形成されているため、ソール部３の周縁の重量が上方に分布するのを防止している。これにより、ヘッドの重心が高くなるのを防止することができる。
【００４９】
(5) トゥ側凹部３２及びヒール側凹部３３を形成する壁面の肉厚は、中央凹部３１より薄いため、ソール部３は、中央付近に比べ、トゥ側及びヒール側の反発性能が向上する。
【００５０】
(6) クラウン部２において、隆起部２１が基部２２よりも、傾斜面２３を介して高く形成されているため、隆起部２１が高くなった分だけ、フェース部１の高さを高くすることができる。そのため、フェース部１における反発性能を向上することができる。また、クラウン部２においては、隆起部２１のみが高く形成され、クラウン部２の大半を占める基部２２は隆起部２１よりも低い位置に形成されているため、ヘッドの重心を低くすることができる。
【００５１】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００５２】
＜７−１＞
易変形部の数は、特には限定されず、トゥ側凹部３２及びヒール側凹部３３における易変形部の数が、中央凹部３１の易変形部の数よりも多ければよい。したがって、例えば、中央凹部３１の易変形部の数を０にし、トゥ側凹部３２及びヒール側凹部３３の易変形部の数を１以上にすることもできる。
【００５３】
＜７−２＞
易変形部３１１，３２０，３３０の形状は特には限定されず、フェース−バック方向に平行に延びていなければよい。したがって、トゥ−ヒール方向に真っ直ぐに延びていてもよいし、上記実施形態のように、トゥ−ヒール方向に対して傾斜して延びていてもよく、その傾斜角度は特には限定されない。
【００５４】
＜７−３＞
上記実施形態では、易変形部が段部によって形成されているが、線状に延び、フェース部１の打撃によって変形しやすい構造であれば、特には限定されない。例えば、図１２（ａ）〜図１２（ｃ）に示すように、易変形部３１１，３２０，３３０が薄肉の構造によって形成されていてもよい。
【００５５】
＜７−４＞
上記のように易変形部の数が設定されていれば、各凹部３１〜３３の形状は、特には限定されない。したがって、例えば、全ての凹部３１〜３３が同様に、フェース−バック方向に延びていてもよい。また、凹部３１〜３３のフェース−バック方向の位置も限定されず、例えば、すべての凹部３１〜３３の、フェース側の位置が揃っていてもよい。また、ソール部３における凹部３１〜３３以外の部分の形状も特には限定されない。
【００５６】
＜７−５＞
上記実施形態に係るヘッドは、カップフェース構造を有しているが、その他の態様であってもよい。例えば、フェース部１及びソール部３を備え、クラウン部２用の開口が形成されたヘッド本体に対し、クラウン部を開口に嵌め込んでヘッドを構成することかできる。また、カップフェース構造でなくてもよく、フェース部１に形成された開口に平板状のフェース用部材を嵌め込み、ヘッド本体に溶接することでヘッドを構成することもできる。
【００５７】
＜７−６＞
クラウン部２の形状は特には限定されず、上記のような隆起部２１が形成されていなくてもよく、適宜変更することができる。
【符号の説明】
【００５８】
１  フェース部
２  クラウン部
３  ソール部
３１  中央凹部
３１１  易変形部
３２  トゥ側凹部
３２１〜３２３  易変形部
３３  ヒール側凹部
３３１〜３３３  易変形部
４  ホーゼル部
【図１】
2018175515.tif 000003
【図２】
2018175515.tif 000004
【図３】
2018175515.tif 000005
【図４Ａ】
2018175515.tif 000006
【図４Ｂ】
2018175515.tif 000007
【図５】
2018175515.tif 000008
【図６】
2018175515.tif 000009
【図７】
2018175515.tif 000010
【図８】
2018175515.tif 000011
【図９】
2018175515.tif 000012
【図１０】
2018175515.tif 000013
【図１１】
2018175515.tif 000014
【図１２】
2018175515.tif 000015